(57)【要約】    【課題】ドアホン子機からインターホン親機への呼出中に再度呼出操作が行われた場合における呼出報知として呼出音の音量を増幅させることにより、再呼び出しを確認する際の利便性を高める。    【解決手段】ドアホン子機１の呼出ボタン１００を使用して再度呼出操作を行った来訪者からの再呼び出しがある旨の呼出音をインターホン親機２ａの親機スピーカ２０２から放音させるにあたり、その呼出音の音量を、インターホン親機の呼出音増幅回路２０６の作用によって第２の増幅率で増幅された音量である当該インターホン親機の周囲近傍に不在の居住者にも確認できる十分な音量で確保する。  【選択図】図１
2008035162.tif 000002
【特許請求の範囲】
【請求項１】
玄関に設置され親機呼び出しのための呼出操作を行う呼出ボタン（１００）、子機マイク（１０１）及び子機スピーカ（１０２）を有するドアホン子機（１）と、住戸内に設置され前記ドアホン子機からの呼び出しに応答して通話を成立させるための親機マイク（２０１）及び親機スピーカ（２０２）を有するインターホン親機（２ａ）とを設け、
前記インターホン親機は、前記ドアホン子機の呼出ボタンの使用による呼出操作が行われたことを検出するための呼出検出回路（２０４）と、前記呼出検出回路にて前記呼出操作が検出されたとき親機スピーカ（２０２）から放音させるための呼出音を生成する呼出音発生回路（２０５）と、前記呼出音発生回路にて生成された呼出音の音量を第１の増幅率で増幅するための呼出音増幅回路（２０６）と、前記ドアホン子機からの呼出中に前記呼出ボタンが再度呼出操作されたとき再呼び出しを前記呼出検出回路で検出して前記呼出音増幅回路を制御し、前記呼出音の音量を第１の増幅率より高い第２の増幅率で増幅させるためのＣＰＵ（２０９）とを備えたことを特徴とするインターホン装置。
【請求項２】
玄関に設置され親機呼び出しのための呼出操作を行う呼出ボタン（１００）、子機マイク（１０１）及び子機スピーカ（１０２）を有するドアホン子機（１）と、住戸内に設置され前記ドアホン子機からの呼び出しに応答して通話を成立させるための親機マイク（２０１）及び親機スピーカ（２０２）を有するインターホン親機（２ｂ）と、前記インターホン親機の周囲近傍における人体の存在、不在を検出するための人感センサ（３）とを設け、
前記インターホン親機は、前記ドアホン子機の呼出ボタンの使用による呼出操作が行われたことを検出するための呼出検出回路（２０４）と、前記呼出検出回路にて前記呼出操作が検出されたとき親機スピーカ（２０２）から放音させるための呼出音を生成する呼出音発生回路（２０５）と、前記呼出音発生回路にて生成された呼出音の音量を第１の増幅率で増幅するための呼出音増幅回路（２０６）と、前記ドアホン子機からの呼出中に前記呼出ボタンが再度呼出操作されたとき再呼び出しを前記呼出検出回路で検出して前記人感センサが前記人体の不在状態を判断した場合に前記呼出音増幅回路を制御し、前記呼出音の音量を前記第１の増幅率より高い第２の増幅率で増幅させるためのＣＰＵ（２０９）とを備えたことを特徴とするインターホン装置。
【請求項３】
前記人感センサは、前記インターホン親機に備えられたことを特徴とする請求項２記載のインターホン装置。
【請求項４】
前記第１の増幅率より高い前記第２の増幅率で増幅された呼出音は前記インターホン親機の親機スピーカから放音されるとともに、前記第１の増幅率で増幅された呼出音は前記ドアホン子機の子機スピーカから放音されることを特徴とする請求項１乃至請求項３記載のうち何れか１項記載のインターホン装置。
【発明の詳細な説明】
【技術分野】
【０００１】
本発明はインターホン装置に係り、特に、ドアホン子機からインターホン親機への呼出中に再呼出操作が行われた場合における呼出報知の制御機能を備えたインターホン装置に関する。
【背景技術】
【０００２】
従来から、ドアホン子器からの映像をドアホン親機に表示している最中に呼び出しがなされても、ドアホン親機の映し出す映像に乱れを生じることなく住戸の呼び出しができるテレビドアホン装置が開示されている（例えば、特許文献１を参照。）。
【０００３】
【特許文献１】特開平８−３０７８５７号公報（段落番号「００４８」乃至「００５７」、第１図乃至第６図）
【発明の開示】
【発明が解決しようとする課題】
【０００４】
背景技術に記載した特許文献１のテレビドアホン装置によれば、呼出先である住戸の人物、例えば、居住者がドアホン子器からの映像をドアホン親機に表示している最中に呼び出しが行われたことを確認するにあたっては、乱れのない視認性の高い映像をもとに確認できる一方、居住者がドアホン親機に映し出される映像を確認できない位置に居た場合には、その呼び出しを確認することができなかった。
【０００５】
本発明は、この難点を解消するためになされたもので、ドアホン子機からインターホン親機への呼出中に再度呼出操作が行われた場合における呼出報知として呼出音の音量を増幅させることにより、再呼び出しを確認する際の利便性を高めたインターホン装置を提供することを目的としている。
【課題を解決するための手段】
【０００６】
前述の目的を達成するため、本発明の第１の態様であるインターホン装置は、玄関に設置され親機呼び出しのための呼出操作を行う呼出ボタン、子機マイク及び子機スピーカを有するドアホン子機と、住戸内に設置されドアホン子機からの呼び出しに応答して通話を成立させるための親機マイク及び親機スピーカを有するインターホン親機とを設けたものである。インターホン親機は、ドアホン子機の呼出ボタンの使用による呼出操作が行われたことを検出するための呼出検出回路と、呼出検出回路にて呼出操作が検出されたとき親機スピーカから放音させるための呼出音を生成する呼出音発生回路と、呼出音発生回路にて生成された呼出音の音量を第１の増幅率で増幅するための呼出音増幅回路と、ドアホン子機からの呼出中に呼出ボタンが再度呼出操作されたとき再呼び出しを呼出検出回路で検出して呼出音増幅回路を制御し、呼出音の音量を第１の増幅率より高い第２の増幅率で増幅させるためのＣＰＵとを備えたものである。
【０００７】
また、本発明の第２の態様であるインターホン装置は、玄関に設置され親機呼び出しのための呼出操作を行う呼出ボタン、子機マイク及び子機スピーカを有するドアホン子機と、住戸内に設置されドアホン子機からの呼び出しに応答して通話を成立させるための親機マイク及び親機スピーカを有するインターホン親機と、インターホン親機の周囲近傍における人体の存在、不在を検出するための人感センサとを設けたものである。インターホン親機は、ドアホン子機の呼出ボタンの使用による呼出操作が行われたことを検出するための呼出検出回路と、呼出検出回路にて呼出操作が検出されたとき親機スピーカから放音させるための呼出音を生成する呼出音発生回路と、呼出音発生回路にて生成された呼出音の音量を第１の増幅率で増幅するための呼出音増幅回路と、ドアホン子機からの呼出中に呼出ボタンが再度呼出操作されたとき再呼び出しを呼出検出回路で検出して人感センサが人体の不在状態を判断した場合に呼出音増幅回路を制御し、呼出音の音量を第１の増幅率より高い第２の増幅率で増幅させるためのＣＰＵとを備えたものである。
【０００８】
また、本発明の第３の態様であるインターホン装置は、本発明の第２の態様において、人感センサは、インターホン親機に備えられるものである。
【０００９】
また、本発明の第４の態様であるインターホン装置は、本発明の第１の態様乃至第３の態様において、第１の増幅率より高い第２の増幅率で増幅された呼出音はインターホン親機の親機スピーカから放音されるとともに、第１の増幅率で増幅された呼出音はドアホン子機の子機スピーカから放音されるものである。
【発明の効果】
【００１０】
本発明のインターホンシステムによれば、ドアホン子機の呼出ボタンを使用して再度呼出操作を行った来訪者からの再呼び出しがある旨の呼出音をインターホン親機の親機スピーカから放音させるにあたり、その呼出音の音量は、インターホン親機の呼出音増幅回路の作用によって第２の増幅率で増幅された音量である当該インターホン親機の周囲近傍に不在の居住者にも確認できる十分な音量で確保可能になる。一方、ドアホン子機の呼出ボタンを使用して行われた来訪者による再度呼出操作がインターホン親機の呼出検出回路にて正常に呼出検出され旨の呼出音を確認音として子機スピーカから放音させるにあたり、その確認音の音量は、呼出音増幅回路の作用によって第２の増幅率より低い第１の増幅率で増幅された音量になることから、玄関の周囲近傍において騒音になることはない。また、インターホン親機の呼出音増幅回路の作用によって第２の増幅率で増幅された音量の呼出音を親機スピーカから放音させるにあたっては、当該インターホン親機と別体又は一体に設けられる人感センサにて人体の不在状態が判断された場合にのみ行うことができる。
【発明を実施するための最良の形態】
【００１１】
以下、本発明のインターホン装置を適用した最良の実施の形態例について、図面を参照して説明する。図１は、本発明の第１の実施例によるインターホン装置の具体的な構成を示すブロック図である。
【００１２】
図１に示すインターホン装置には、玄関に設置されたドアホン子機１と、住戸内に設置されたインターホン親機２ａとが設けられており、ドアホン子機１及びインターホン親機２ａの間は、伝送路Ｌ1を経由して接続されている。
【００１３】
ドアホン子機１には、呼出ボタン１００、子機マイク１０１、子機スピーカ１０２、子機通話回路１０３、子機電源回路１０４及び子機インターフェース（以下、子機Ｉ／Ｆという。）１０５が備えられている。
【００１４】
このドアホン子機１において、呼出ボタン１００は、玄関に居る人物、例えば、来訪者が、住戸内に在室中の人物、例えば、居住者を呼び出すために呼出操作を行うものである。
【００１５】
子機マイク１０１及び子機スピーカ１０２は、呼出操作を行った来訪者が居住者との間で通話を成立させるために音声（送話音声、受話音声）を入出力するものであり、子機通話回路１０３は、子機マイク１０１に入力された音声（送話音声）である音声信号を４線／２線変換して子機Ｉ／Ｆ１０５に送出するとともに、子機Ｉ／Ｆ１０５を経由して伝送されてくるインターホン親機２ａからの音声信号を２線／４線変換して子機スピーカ１０２に送出するものである。なお、子機スピーカ１０２は、前述の通話機能の他、子機Ｉ／Ｆ１０５を経由して伝送されてくるインターホン親機２からの呼出音信号をもとに、呼出ボタン１００を使用して行われた来訪者による呼出操作がインターホン親機２ａの後述する呼出検出回路２０４にて正常に呼出検出された旨の確認音（音声メッセージを含む。）を放音することができる。
【００１６】
子機電源回路１０４は、子機Ｉ／Ｆ１０５を経由して供給されてくるインターホン親機２ａからの直流電源（直流電圧）を動作電源として、ドアホン子機１の構成各部／回路にそれぞれ電源供給するためのものである。
【００１７】
子機Ｉ／Ｆ１０５は、呼出ボタン１００から伝送路Ｌ1への信号伝送ライン、伝送路Ｌ1から子機スピーカ１０２への信号伝送ライン、子機通話回路１０３及び伝送路Ｌ1の間の信号伝送ライン（通話ライン）、伝送路Ｌ1から子機電源回路１０４への電源供給ラインをそれぞれ形成するためのものである。
【００１８】
また、インターホン親機２ａには、通話ボタン２００、親機マイク２０１、親機スピーカ２０２、親機通話回路２０３、呼出検出回路２０４、呼出音発生回路２０５、呼出音増幅回路２０６、親機電源回路２０７、子機用電源供給回路２０８、ＣＰＵ２０９及び親機インターフェース（以下、親機Ｉ／Ｆという。）２１０が備えられている。
【００１９】
このインターホン親機２ａにおいて、通話ボタン２００は、来訪者からの呼び出しに居住者が応答するために応答操作を行うとともに、成立されていた通話を終了させるために終話操作（詳述せず。）を行うものである。
【００２０】
親機マイク２０１及び親機スピーカ２０２は、応答操作を行った居住者が来訪者との間で通話を成立させるために音声（送話音声、受話音声）を入出力するものであり、親機通話回路２０３は、親機マイク２０１に入力された音声（送話音声）である音声信号を４線／２線変換して親機Ｉ／Ｆ２１０に送出するとともに、親機Ｉ／Ｆ２１０を経由して伝送されてくるドアホン子機１からの音声信号を２線／４線変換して親機スピーカ２０２に送出するためのものである。なお、親機スピーカ２０２は、前述の通話機能の他、呼出音発生回路２０５にて生成され呼出音増幅回路２０６を経由して伝送されてくる呼出音信号をもとに、ドアホン子機１の呼出ボタン１００を使用して呼出操作を行った来訪者からの呼び出しがある旨の呼出音（音声メッセージを含む。）を放音することができる。
【００２１】
呼出検出回路２０４は、ドアホン子機１の呼出ボタン１００の使用による呼出操作が行われた来訪者からの呼び出しがあることを検出し、その旨の呼出検出信号を生成してＣＰＵ２０９に送出するためのものであり、呼出音発生回路２０５は、呼出検出回路２０４からの呼出検出信号を受信したＣＰＵ２０９により制御され、呼出音信号を生成して呼出音増幅回路２０６に送出するためのものである。
【００２２】
呼出音増幅回路２０６は、呼出検出回路２０４からの呼出検出信号を受信したＣＰＵ２０９により制御される異なる増幅率（増幅利得）を備えた２つの増幅アンプ（以下、それぞれ第１のアンプ、第２のアンプという。）２６０ａ、２６０ｂを有している。また、第１のアンプ２６０ａは、呼出音発生回路２０５にて生成された呼出音信号を第１の増幅率で増幅して親機スピーカ２０２及び親機Ｉ／Ｆ２１０にそれぞれ送出するためのものである。さらに、第２のアンプ２６０ｂは、呼出音発生回路２０５にて生成され、第１のアンプ２６０ａを経由して第１の増幅率で増幅された呼出音信号を、前述の第１の増幅率より高い第２の増幅率となるように増幅して親機スピーカ２０２に送出するためのものである。
【００２３】
親機電源回路２０７は、商用電源（ＡＣ１００Ｖ）について整流／平滑させた直流電源（直流電圧）を動作電源として、当該インターホン親機の構成各部／回路にそれぞれ電源供給するためのものであり、子機用電源供給回路２０８は、親機電源回路２０７を経由して整流／平滑された直流電源（直流電圧）をドアホン子機１の子機電源回路１０４に供給するためのものである。
【００２４】
ＣＰＵ２０９は、当該インターホン親機の構成各部／回路をそれぞれ制御するにあたり、呼出検出回路２０４からの呼出検出信号を受信して、呼出音発生回路２０５及び呼出音増幅回路２０６の第１のアンプ２６０ａがそれぞれ能動（動作開始）となるように制御するとともに、親機電源回路２０７及び子機用電源回路２０８をそれぞれ制御して動作電源の電源供給を開始させるためのものである。また，ＣＰＵ２０９は、ドアホン子機１からの呼出中に呼出ボタン１００が再度呼出操作されたとき呼出検出回路２０４からの呼出検出信号を受信して、呼出音発生回路２０５、呼出音増幅回路２０６の第１、第２の各アンプ２６０ａ、２６０ｂがそれぞれ能動（動作開始）となるように制御するものである。さらに、ＣＰＵ２０９は、通話ボタン２００の使用による応答操作を検出して親機通話回路２０３を制御し、親機マイク２０１及び親機スピーカ２０２と親機Ｉ／Ｆ２１０との間の信号伝送ライン（通話ライン）を形成するとともに、応答信号を生成して親機Ｉ／Ｆ２１０に送出するためのものである。
【００２５】
親機Ｉ／Ｆ２１０は、親機通話回路２０３及び伝送路Ｌ1の間の信号伝送ライン（通話ライン）、伝送路Ｌ1から呼出検出回路２０４への信号伝送ライン、呼出音増幅回路２０６の第１のアンプ２６０ａから伝送路Ｌ1への信号伝送ライン、子機用電源供給回路２０８から伝送路Ｌ1への電源供給ライン、ＣＰＵ２０９及び伝送路Ｌ1の間の信号伝送ラインをそれぞれ形成するためのものである。
【００２６】
このように構成された本発明の第１の実施例によるインターホン装置において、以下、具体的な動作について、図１を参照して説明する。
【００２７】
図１に示すドアホン子機１及びインターホン親機２ａがそれぞれ待受状態、すなわち、玄関に居る来訪者から住戸内に在室中の居住者への呼び出しがなく、来訪者及び居住者の間で通話も成立されていない待受時において、来訪者が居住者を呼び出すためにドアホン子機１の呼出ボタン１００を使用して呼出操作（以下、初回呼出操作という。）を行うと、呼出ボタン１００にて呼出信号が生成される。この呼出信号は、呼出ボタン１００から子機Ｉ／Ｆ１０５、伝送路Ｌ1、インターホン親機２ａの親機Ｉ／Ｆ２１０を順次経由して呼出検出回路２０４に伝送される。
【００２８】
インターホン親機２ａの呼出検出回路２０４は、受信した呼出信号をもとに、ドアホン子機１の呼出ボタン１００を使用して初回呼出操作を行った来訪者からの呼び出しがあることを検出し、その旨の呼出検出信号を生成してＣＰＵ２０９に送出する。
【００２９】
インターホン親機２ａのＣＰＵ２０９は、呼出検出回路２０４からの呼出検出信号を受信すると、予め設定されている呼出時間の計時を開始する。また、ＣＰＵ２０９は、呼出音発生回路２０５及び呼出音増幅回路２０６の第１のアンプ２６０ａがそれぞれ能動（動作開始）となるように制御するとともに、親機電源回路２０７を制御して待受電源の電圧レベルよりも高い電圧の直流電源（直流電圧）を当該インターホン親機の構成各部／回路にそれぞれ供給し、この直流電源（直流電圧）を、子機用電源供給回路２０８から親機Ｉ／Ｆ２１０、伝送路Ｌ1、ドアホン子機１の子機Ｉ／Ｆ１０５を順次経由して子機電源回路１０４に供給させる。さらに、ＣＰＵ２０９は、呼出音増幅回路２０６の第２のアンプ２６０ｂがスルーモードとなるように制御して、第１のアンプ２６０ａから当該第２のアンプを経由して親機スピーカ２０２までの信号伝送ラインを形成する。
【００３０】
ドアホン子機１の子機電源回路１０４は、インターホン親機２ａの子機用電源供給回路２０８からの直流電源（直流電圧）を受電し、この直流電源（直流電圧）を動作電源として当該ドアホン子機の構成各部／回路にそれぞれ供給することができる。
【００３１】
また、インターホン親機２ａのＣＰＵ２０９の制御により呼出音発生回路２０５にて生成された呼出音信号は、呼出音増幅回路２０６の第１のアンプ２６０ａの作用により第１の増幅率で増幅された後、スルーモード状態の第２のアンプ２６０ａを経由して親機スピーカ２０２に伝送されるとともに、同様に呼出音増幅回路２０６の第１のアンプ２６０ａの作用により第１の増幅率で増幅された後、親機Ｉ／Ｆ２１０、伝送路Ｌ1、ドアホン子機１の子機Ｉ／Ｆ１０５を順次経由して子機スピーカ１０２に伝送される。
【００３２】
インターホン親機２ａの親機スピーカ２０２及びドアホン子機１の子機スピーカ１０２のうち、親機スピーカ２０２は、受信した呼出音信号を信号処理して、その音量が第１の増幅率で増幅された呼出音（音声メッセージを含む。）を放音することにより、ドアホン子機１の呼出ボタン１００を使用して初回呼出操作を行った来訪者からの呼び出しがあることを呼出報知できる。一方、子機スピーカ１０２は、受信した呼出音信号を信号処理して、その音量が第１の増幅率で増幅された呼出音を確認音（音声メッセージを含む。）として放音することにより、ドアホン子機１の呼出ボタン１００を使用して行われた来訪者による初回呼出操作がインターホン親機２ａの呼出検出回路２０４にて正常に呼出検出されたことを報知できる。
【００３３】
ここで、前述の呼出時間の計時中、すなわち、初回呼出中において、住戸内に在室中の居住者がインターホン親機２ａの周囲近傍に居り、親機スピーカ２０２から放音された呼出音であるその音量が第１の増幅率で増幅された呼出音（音声メッセージを含む。）を確認した後、通話ボタン２００を使用して応答操作を行うと、この応答操作を検出したＣＰＵ２０９は、呼出時間の計時を終了して予め設定されている通話時間の計時を開始するとともに、親機通話回路２０３を制御して親機マイク２０１及び親機スピーカ２０２と親機Ｉ／Ｆ２１０との間の信号伝送ライン（通話ライン）を形成させ、さらには、応答信号を生成する。また、ＣＰＵ２０９にて生成された応答信号は、親機Ｉ／Ｆ２１０、伝送路Ｌ1、ドアホン子機１の子機Ｉ／Ｆ１０５を順次経由して子機通話回路１０３に伝送される。
【００３４】
ドアホン子機１の子機通話回路１０３は、インターホン親機２ａからの応答信号を受信すると、子機マイク１０１及び子機スピーカ１０２と子機Ｉ／Ｆ１０５との間の信号伝送ライン（通話ライン）を形成させることにより、来訪者が使用する子機マイク１０１から居住者が使用する親機スピーカ２０２までの信号伝送ライン（通話ライン）と、居住者が使用する親機マイク２０１から来訪者が使用する子機スピーカ１０２までの信号伝送ライン（通話ライン）とがそれぞれ形成され、形成された通話ラインを経由して音声信号を送受信させることで通話（ハンズフリー通話）が成立し、この通話は、居住者が通話ボタン２００を使用して終話操作を行う、又はＣＰＵ２０９にて計時中の通話時間がタイムアップとなるまで継続することができる。
【００３５】
なお、インターホン親機２ａにおいて、予め設定されている呼出時間及び通話時間のそれぞれの計時を行う回路は、ＣＰＵ２０９に限定されるものではなく、別途にタイマを設けて計時させることもできる。
【００３６】
一方、前述の呼出時間の計時中、すなわち、初回呼出中において、居住者がインターホン親機２ａの周囲近傍に居らず、親機スピーカ２０２から放音されたその音量が第１の増幅率で増幅された呼出音（音声メッセージを含む。）を確認できなかった場合に、来訪者が居住者を呼び出すためにドアホン子機１の呼出ボタン１００を使用して再度呼出操作を行うと、前述の初回呼出操作時と同様、呼出ボタン１００にて生成された呼出信号を受信した呼出検出回路２０４は、呼出検出信号を生成してＣＰＵ２０９に送出する。
【００３７】
インターホン親機２ａのＣＰＵ２０９は、予め設定されている呼出時間の計時中である初回呼出中において呼出検出回路２０４からの呼出検出信号を受信すると再呼出中となり、呼出音発生回路２０５を制御して呼出音信号を発生させるとともに、呼出音増幅回路２０６の第１のアンプ２６０ａの制御を保持して、第２のアンプ２６０ｂが能動（動作開始）となるように制御する。この制御により呼出音発生回路２０５にて生成された呼出音信号は、呼出音増幅回路２０６の第１のアンプ２６０ａの作用により第１の増幅率で増幅された後、第２のアンプ２６０ｂを経由して第２の増幅率となるように増幅されて親機スピーカ２０２に伝送されるとともに、呼出音増幅回路２０６の第１のアンプ２６０ａの作用により第１の増幅率で増幅された後、親機Ｉ／Ｆ２１０、伝送路Ｌ1、ドアホン子機１の子機Ｉ／Ｆ１０５を順次経由して子機スピーカ１０２に伝送される。
【００３８】
インターホン親機２ａの親機スピーカ２０２及びドアホン子機１の子機スピーカ１０２のうち、親機スピーカ２０２は、受信した呼出音信号を信号処理して、その音量が第２の増幅率で増幅された呼出音（音声メッセージを含む。）を放音することにより、ドアホン子機１の呼出ボタン１００を使用して再度呼出操作を行った来訪者からの再呼び出しがあることを、当該インターホン親機の周囲近傍に不在の居住者にも確認可能な十分な音量で呼出報知でき、前述の初回呼び出しの際に行われた応答操作による通話と同様、迅速な応答操作により通話（ハンズフリー通話）を成立させることができる。一方、子機スピーカ１０２は、受信した呼出音信号を信号処理して、その音量が第１の増幅率で増幅された呼出音を確認音（音声メッセージを含む。）として放音することにより、ドアホン子機１の呼出ボタン１００を使用して行われた来訪者による再度呼出操作がインターホン親機２ａの呼出検出回路２０４にて正常に呼出検出されたことを報知でき、ドアホン子機１への確認音（音声メッセージを含む。）の音量は、第２の増幅率よりも低い第１の増幅率で増幅されることから、玄関の周囲近傍において騒音になることはない。
【００３９】
前述までの説明から明らかなように、本発明の第１の実施例によれば、ドアホン子機１の呼出ボタン１００を使用して再度呼出操作を行った来訪者からの再呼び出しがある旨の呼出音（音声メッセージを含む。）をインターホン親機２ａの親機スピーカ２０２から放音させるにあたり、その呼出音の音量を、インターホン親機２ａの呼出音増幅回路２０６（の第１、第２の各アンプ２６０ａ、２６０ｂ）の作用によって第２の増幅率で増幅された音量である当該インターホン親機の周囲近傍に不在の居住者にも確認できる十分な音量で確保可能になる。一方、ドアホン子機１の呼出ボタン１００を使用して行われた来訪者による再度呼出操作がインターホン親機２ａの呼出検出回路２０４にて正常に呼出検出され旨の確認音（音声メッセージを含む。）の音量は、呼出音増幅回路２０６（の第１のアンプ２６０ａ）の作用によって第２の増幅率よりも低い第１の増幅率で増幅された音量になることから、玄関の周囲近傍において騒音になることはない。
【００４０】
次に、前述の第１の実施例と同様な効果を奏する別途の態様について、以下、本発明の第２の実施例によるインターホン装置として、図２のブロック図を参照して説明する。なお、第２の実施例の構成を説明するにあたり、第１の実施例と同一の機能を有する構成各部／回路については、それぞれ同一の符号を付与して説明は省略するものとする。
【００４１】
図２に示すインターホン装置は、玄関に設置されたドアホン子機１と、住戸内に設置されたインターホン親機２ｂと、インターホン親機２ｂの周囲近傍における人体、例えば、居住者の存在、不在を検出するための人感センサ３とが設けられており、ドアホン子機１及びインターホン親機２ｂの間、インターホン親機２ｂ及び人感センサ３の間は、各伝送路Ｌ1、Ｌ2を経由してそれぞれ接続されている。
【００４２】
インターホン親機２ｂには、通話ボタン２００、親機マイク２０１、親機スピーカ２０２、親機通話回路２０３、呼出検出回路２０４、呼出音発生回路２０５、呼出音増幅回路２０６、親機電源回路２０７、子機用電源供給回路２０８、ＣＰＵ２０９、第１の親機Ｉ／Ｆ（以下、子機側親機Ｉ／Ｆという。）２１０、及び第２の親機Ｉ／Ｆ（以下、センサ側親機Ｉ／Ｆという。）２１１が備えられている。また、センサ側親機Ｉ／Ｆ２１１は、ＣＰＵ２０９及び伝送路Ｌ2の間の信号伝送ラインを形成するためのものである。
【００４３】
このように構成された本発明の第２の実施例によるインターホン装置において、以下、具体的な動作について、図２を参照して説明する。なお、図２に示すドアホン子機１及びインターホン親機２ｂがそれぞれ待受状態、すなわち、玄関に居る来訪者から住戸内に在室中の居住者への呼び出しがなく、来訪者及び居住者の間で通話も成立されていない待受時において、来訪者が居住者を呼び出すためにドアホン子機１の呼出ボタン１００を使用して初回呼出操作を行った場合に、その音量が第１の増幅率で増幅された呼出音（音声メッセージを含む。）を親機スピーカ２０２から放音させる、及びその音量が第１の増幅率で増幅された確認音（音声メッセージを含む。）を子機スピーカ１０２から放音させるまでの動作は、前述の第１の実施例における動作と同様であることから説明は省略する。
【００４４】
インターホン親機２ｂのＣＰＵ２０９にて呼出時間が計時中である初回呼出中において、居住者がインターホン親機２ｂの周囲近傍に居り、親機スピーカ２０２から放音されたその音量が第１増幅率で増幅された呼出音（音声メッセージを含む。）を確認した後、通話ボタン２００を使用して応答操作を行うと、この応答操作を検出したＣＰＵ２０９は、呼出時間の計時を終了して予め設定されている通話時間の計時を開始するとともに、親機通話回路２０３を制御して親機マイク２０１及び親機スピーカ２０２と親機Ｉ／Ｆ２１０との間の信号伝送ライン（通話ライン）を形成させ、さらには、応答信号を生成する。また、ＣＰＵ２０９にて生成された応答信号は、前述の第１の実施例と同様な経路を順次経由してドアホン子機１の子機通話回路１０３に伝送される。
【００４５】
ドアホン子機１の子機通話回路１０３は、インターホン親機２ｂからの応答信号を受信すると、子機マイク１０１及び子機スピーカ１０２と子機Ｉ／Ｆ１０５との間の信号伝送ライン（通話ライン）を形成させることにより、来訪者が使用する子機マイク１０１から居住者が使用する親機スピーカ２０２までの信号伝送ライン（通話ライン）と、居住者が使用する親機マイク２０１から来訪者が使用する子機スピーカ１０２までの信号伝送ライン（通話ライン）とがそれぞれ形成され、形成された通話ラインを経由して音声信号を送受信させることで通話（ハンズフリー通話）が成立し、この通話は、居住者が通話ボタン２００を使用して終話操作を行う、又はＣＰＵ２０９にて計時中の通話時間がタイムアップとなるまで継続することができる。
【００４６】
一方、前述の呼出時間の計時中、すなわち、初回呼出中において、居住者がインターホン親機２ｂの周囲近傍に居らず、親機スピーカ２０２から放音された呼出音（音声メッセージを含む。）を確認できなかった場合に、来訪者が居住者を呼び出すためにドアホン子機１の呼出ボタン１００を使用して再度呼出操作を行うと、前述の第１の実施例における初回呼出操作時と同様、呼出ボタン１００にて生成された呼出信号を受信した呼出検出回路２０４は、呼出検出信号を生成してＣＰＵ２０９に送出する。
【００４７】
インターホン親機２ｂのＣＰＵ２０９は、予め設定されている呼出時間の計時中である初回呼出中において呼出検出回路２０４からの呼出検出信号を受信すると再呼出中となり、呼出音発生回路２０５を制御して呼出音信号を発生させるとともに、人感センサ３からの人体感知信号が受信されていないとき、すなわち、居住者がインターホン親機２ｂの周囲近傍に不在状態であると判断された場合にのみ、呼出音増幅回路２０６の第１のアンプ２６０ａの制御を保持して、第２のアンプ２６０ｂが能動（動作開始）となるように制御する。この制御により呼出音発生回路２０５にて生成された呼出音信号は、呼出音増幅回路２０６の第１のアンプ２６０ａの作用により第１の増幅率で増幅された後、第２のアンプ２６０ｂを経由して第２の増幅率となるように増幅されて親機スピーカ２０２に伝送されるとともに、呼出音増幅回路２０６の第１のアンプ２６０ａの作用により第１の増幅率で増幅された後、親機Ｉ／Ｆ２１０、伝送路Ｌ1、ドアホン子機１の子機Ｉ／Ｆ１０５を順次経由して子機スピーカ１０２に伝送される。
【００４８】
インターホン親機２ｂの親機スピーカ２０２及びドアホン子機１の子機スピーカ１０２のうち、親機スピーカ２０２は、受信した呼出音信号を信号処理して、その音量が第２の増幅率で増幅された呼出音（音声メッセージを含む。）を放音することにより、ドアホン子機１の呼出ボタン１００を使用して再度呼出操作を行った来訪者からの再呼び出しがあることを、当該インターホン親機の周囲近傍に不在の居住者にも確認可能な十分な音量で呼出報知でき、前述の初回呼び出しの際に行われた応答操作による通話と同様、迅速な応答操作により通話（ハンズフリー通話）を成立させることができる。一方、子機スピーカ１０２は、受信した呼出音信号を信号処理して、その音量が第１の増幅率で増幅された呼出音を確認音（音声メッセージを含む。）として放音することにより、ドアホン子機１の呼出ボタン１００を使用して行われた来訪者による再度呼出操作がインターホン親機２ｂの呼出検出回路２０４にて正常に呼出検出されたことを報知でき、ドアホン子機１への確認音（音声メッセージを含む。）の音量は、第２の増幅率よりも低い第１の増幅率で増幅されることから、玄関の周囲近傍において騒音になることはない。
【００４９】
なお、前述の再呼出中において、インターホン親機２ｂのＣＰＵ２０９が人感センサ３からの人体感知信号を受信した場合、すなわち、居住者がインターホン親機２ｂの周囲近傍に居る場合、これを検出したＣＰＵ２０９は、呼出音増幅回路２０６の第１のアンプ２６０ａの制御を保持する一方、第２のアンプ２６０ｂは非能動（動作停止）のまま保持する。この制御により、インターホン親機２ｂの親機スピーカ２０２から放音される呼出音（音声メッセージを含む。）の音量及びドアホン子機１の子機スピーカ１０２から放音される確認音（音声メッセージを含む。）の音量は、それぞれ第１の増幅率で増幅された音量となる。
【００５０】
前述までの説明から明らかなように、本発明の第２の実施例によれば、ドアホン子機１の呼出ボタン１００を使用して再度呼出操作を行った来訪者からの再呼び出しがある旨の呼出音（音声メッセージを含む。）をインターホン親機２ｂの親機スピーカ２０２から放音させるにあたり、その呼出音の音量を、人感センサ３にて人体の不在が検出された場合にのみ、インターホン親機２ｂの呼出音増幅回路２０６（の第１、第２の各アンプ２６０ａ、２６０ｂ）の作用によって第２の増幅率で増幅された音量である当該インターホン親機の周囲近傍に不在の居住者にも確認できる十分な音量で確保可能になる。一方、ドアホン子機１の呼出ボタン１００を使用して行われた来訪者による再度呼出操作がインターホン親機２ｂの呼出検出回路２０４にて正常に呼出検出され旨の確認音の音量は、呼出音増幅回路２０６（の第１のアンプ２６０ａ）の作用によって第２の増幅率よりも低い第１の増幅率で増幅された音量になることから、玄関の周囲近傍において騒音になることはない。
【００５１】
また、本発明の第２の実施例においては、インターホン親機２ｂの周囲近傍における人体の存在、不在を検出するための人感センサ３を、当該インターホン親機と別途に設けた場合について説明したが、この態様に限定されるものではない。例えば、図２において破線で示すように、人感センサ３をインターホン親機２ｂの機器内に一体として備え、人感センサ３及びＣＰＵ２０９の間を相互に接続させた態様であってもよい。
【００５２】
さらに、本発明の第１、第２の各実施例においては、インターホン親機２ａ、２ｂが有する通話機能として、親機マイク２０１及び親機スピーカ２０２の使用によるハンズフリーによる通話機能が備えられていたが、この態様に限定されるものではない。例えば、親機マイク２０１を不要として別途にハンドセット及びフックスイッチを備え、このハンドセットを使用したハンドセット通話による通話機能を能動とする態様や、或いは、ハンズフリーによる通話機能及びハンドセット通話による通話機能を双方備え、何れか一方の通話機能のみを能動とする態様であってもよい。
【００５３】
なお、本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００５４】
【図１】本発明の第１の実施例によるインターホン装置の具体的な構成を示すブロック図。
【図２】本発明の第２の実施例によるインターホン装置の具体的な構成を示すブロック図。
【符号の説明】
【００５５】
１……ドアホン子機
１００……呼出ボタン
１０１……子機マイク
１０２……子機スピーカ
２ａ、２ｂ……インターホン親機
２０１……親機マイク
２０２……親機スピーカ
２０５……呼出音発生回路
２０６……呼出音増幅回路
２０９……ＣＰＵ
３……人感センサ
【図１】
2008035162.tif 000003
【図２】
2008035162.tif 000004